(57)【特許請求の範囲】
【請求項１】
ディスク状記録媒体が収納され、前記ディスク状記録媒体の情報面を露出すべくスライドするシャッターが取り付けられたディスクカートリッジを装填可能なディスクプレーヤであって、
該ディスクプレーヤの前面側に形成され、前記ディスクカートリッジが前記ディスクプレーヤ内に挿抜される開口部と、
前記ディスクカートリッジを前記シャッターのディスクカートリッジ上におけるスライド方向と同一方向に搬送する搬送機構と、
前記搬送機構による搬送中のディスクカートリッジにおける前記ディスク状記録媒体の情報面と平行な面をガイドし、前記開口部から前記ディスクカートリッジの挿抜方向に適宜延設されるガイド部材と、
前記ディスクカートリッジ上のシャッターをスライドさせるシャッタースライド機構とを備え、
前記ガイド部材は、前記シャッターが挿通する位置にあたる内縁部分に、前記搬送機構によるディスクカートリッジの搬送方向に漸次傾斜する傾斜部を備えたことを特徴とするディスクプレーヤ。
【請求項２】
前記傾斜部は直線的傾斜部であることを特徴とする請求項１記載のディスクプレーヤ。
【請求項３】
前記傾斜部は曲線的傾斜部であることを特徴とする請求項１記載のディスクプレーヤ。
【請求項４】
前記傾斜部は異なる傾斜角を備えた複数の傾斜部から構成されていることを特徴とする請求項１又は請求項２又は請求項３記載のディスクプレーヤ。
【請求項５】
前記傾斜部は前記ディスクカートリッジの外縁付近から中心付近に向けて、前記搬送機構によるディスクカートリッジの搬送方向に漸次傾斜する傾斜部であることを特徴とする請求項１又は請求項２又は請求項３又は請求項４記載のディスクプレーヤ。
【請求項６】
前記傾斜部は前記シャッターの前記搬送方向と直交するストレート部におけるディスクカートリッジの中心付近まで設けられていることを特徴とする請求項５記載のディスクプレーヤ。
【請求項７】
前記シャッターが前記ディスクカートリッジ収納部の一側部側に位置するように前記ディスクカートリッジが挿抜されることを特徴とする請求項１記載のディスクプレーヤ。
【発明の詳細な説明】
【０００１】
【発明の属する技術分野】
本発明は、ディスクプレーヤに関し、更に詳しくは、ディスク状記録媒体を収納したカートリッジをディスクプレーヤにスムーズに挿抜、搬送可能としたディスクプレーヤに関するものである。
【０００２】
【従来の技術】
現在では、大容量情報記録媒体としてディスク状記録媒体を収納したディスクカートリッジが幅広く普及している。そうしたディスクカートリッジ（以下、カートリッジという）を再生、記録するディスクプレーヤの従来例を図１５に示す。図１５（ａ）に示したディスクプレーヤＡは、カートリッジＢをディスクプレーヤＡ内のカートリッジホルダＣの所定位置まで引き込むカートリッジ搬送機構Ｄと、上記カートリッジホルダＣを降下させて、その先に位置させた記録・再生用サーボメカＥに対してクランプさせるようにした昇降機構Ｆとを、備えたものである。
一方、図１５（ｂ）に示したディスクプレーヤＡ’は、カートリッジＢをディスクプレーヤＡ’内のカートリッジホルダＣの所定位置まで引き込むカートリッジ搬送機構Ｄと、上記カートリッジＢの搬送方向の下方位置にあって、搬送方向に対して略直交方向（紙面に垂直な方向）に回動軸（支点）Ｇを設けて、この回動支点Ｇを中心に回動する記録・再生用サーボメカＥ’を円弧運動させて、上記カートリッジホルダＣにクランプさせるようにした回動機構Ｈとを、備えたものであり、現時点では、サーボメカＥを昇降させる機構を有するディスクプレーヤのほとんどは、後者のディスクプレーヤＡ’のような軸方式を採用している。
【０００３】
そして、これらのディスクプレーヤＡ，Ａ’のカートリッジホルダＣは枠体形状を有すものであって、図１６に示すように、そのカートリッジホルダＣの前面側には適宜大きさの開口部Ｃ１が設けられており、この開口部Ｃ１からカートリッジＢがカートリッジホルダＣの内部に向かって挿入されたり、或いは抜出されたりするようになっている。
また、開口部Ｃ１の下面側の横幅方向には、板状のガイド部Ｃ２が延設されていて、カートリッジＢが挿入、抜出される際の方向性を確保させるガイド役を担うようになっている。
【０００４】
【発明が解決しようとする課題】
ところで、上記に示した従来のディスクプレーヤＡ，Ａ’には、次のような不具合がある。
カートリッジＢには、ディスク状記録媒体の情報面を適宜露出させるスライド開閉可能な断面コ字形状のシャッターＢ１が取り付けられていて、カートリッジＢ内のディスク状記録媒体の情報面を外部環境から保護している。
ところが、シャッターＢ１は薄い板材料を加工成形しているために、取扱い時の外圧によりシャッターＢ１の片面或いは両面の自由端側がよじれてしまったり、撓んでしまったりすることがある。このような、シャッターＢ１が反ったままのカートリッジＢをディスクプレーヤＡ，Ａ’に挿入する際は、その反ってしまったシャッターＢ１が開口部Ｃ１縁に当接してしまい、ディスクプレーヤＡ，Ａ’にカートリッジＢが挿入できないという虞があった。
また、カートリッジホルダＣ内部で何らかの作用力により反ってしまったカートリッジＢを抜出する際には、カートリッジＢのシャッターＢ１とガイド部Ｃ２の直線部Ｃ３とが当接してしまうのでカートリッジＢを抜出することができないという虞もあった。
そのため、図１７（ａ）に示すように、カートリッジホルダＣのシャッターＢ１側の開口部Ｃ１を適宜拡径させて逃げを設けておき、反りが生じているカートリッジＢが通過する際のクリアランスを確保して挿抜可能としたディスクプレーヤも提案されているが、同図（ｃ）に示すように、開口部Ｃ１の高さＨが拡大されて製品高さが大きくなってしまうので、ディスクプレーヤが大型化してしまうと共に金型の構造が複雑になるので製造コストの上昇は否めなかった。また、ディスクプレーヤを小型化することが困難であるという虞がある。
【０００５】
そこで、本発明の目的は、上記従来のディスクプレーヤにおける問題に鑑み、シャッターが反ってしまったカートリッジでも挿抜、搬送可能とした小型のディスクプレーヤを提供することにある。
【０００６】
【課題を解決するための手段】
前述の目的を達成するために、本発明のうち請求項１記載の発明は、ディスク状記録媒体が収納され、前記ディスク状記録媒体の情報面を露出すべくスライドするシャッターが取り付けられたディスクカートリッジを装填可能なディスクプレーヤであって、該ディスクプレーヤの前面側に形成され、前記ディスクカートリッジが前記ディスクプレーヤ内に挿抜される開口部と、前記ディスクカートリッジを前記シャッターのディスクカートリッジ上におけるスライド方向と同一方向に搬送する搬送機構と、前記搬送機構による搬送中のディスクカートリッジにおける前記ディスク状記録媒体の情報面と平行な面をガイドし、前記開口部から前記ディスクカートリッジの挿抜方向に適宜延設されるガイド部材と、前記ディスクカートリッジ上のシャッターをスライドさせるシャッタースライド機構とを備え、前記ガイド部材は、前記シャッターが挿通する位置にあたる内縁部分に、前記搬送機構によるディスクカートリッジの搬送方向に漸次傾斜する傾斜部を備えたことを特徴としている。
【０００７】
請求項２記載の発明は、前記傾斜部は直線的傾斜部であることを特徴としている。
【０００８】
請求項３記載の発明は、前記傾斜部は曲線的傾斜部であることを特徴としている。
【０００９】
請求項４記載の発明は、前記傾斜部は異なる傾斜角を備えた複数の傾斜部から構成されていることを特徴としている。
【００１０】
請求項５記載の発明は、前記傾斜部は前記ディスクカートリッジの外縁付近から中心付近に向けて、前記搬送機構によるディスクカートリッジの搬送方向に漸次傾斜する傾斜部であることを特徴としている。
【００１１】
請求項６記載の発明は、前記傾斜部は前記シャッターの前記搬送方向と直交するストレート部におけるディスクカートリッジの中心付近まで設けられていることを特徴としている。また、請求項７記載の発明は、前記シャッターが前記ディスクカートリッジ収納部の一側部側に位置するように前記ディスクカートリッジが挿抜されることを特徴としている。
【００１２】
【作用】
本発明では、ディスクカートリッジを装填可能なディスクプレーヤであって、前記ディスクカートリッジを前記シャッターのディスクカートリッジ上におけるスライド方向と同一方向に搬送する搬送機構と、前記搬送機構による搬送中のディスクカートリッジにおける前記ディスク状記録媒体の情報面と平行な面をガイドするガイド部材と、前記ディスクカートリッジ上のシャッターをスライドさせるシャッタースライド機構とを備え、前記ガイド部材は前記搬送機構によるディスクカートリッジの搬送方向に漸次傾斜する傾斜部をガイド部の全幅、或いは一部に設けると共に、前記傾斜部は直線的傾斜部、或いは曲線的傾斜部、又はそれらの複合した傾斜部から形成されるので、ガイド部はカートリッジの搬送方向とは直交しなくなり、ガイド部とシャッターとは面接触による当接干渉をしなくなる。その結果、シャッターがよじれていたり、撓んでいたりするカートリッジをディスクプレーヤに挿抜、搬送しても、傾斜部がシャッターの姿勢を点接触しながら元の形態に矯正するので、カートリッジの挿抜、搬送がスムーズになされてカートリッジ挿抜、搬送時の信頼性が向上する。また、ディスクプレーヤにおけるカートリッジの搬送系を最小限高さにして、限られた空間を最大限に活用できるようになる。しかも、カートリッジホルダの構造を簡単なものとし、カートリッジホルダを小型化する。そして、低コストにディスクプレーヤを構成できる。
【００１３】
また、本発明は、傾斜部はシャッターの搬送方向と直交するストレート部におけるディスクカートリッジの中心付近まで設けられているので、シャッター側が挿通する位置にあたるガイド部は、シャッターの搬送方向に直交することはなくなり、ガイド部とシャッターとの面接触はしなくなる。その結果、シャッターがよじれていたり、撓んでいたりするカートリッジをディスクプレーヤに挿抜しても、傾斜部がシャッターの姿勢を点接触しながら矯正するのでガイド部との当接干渉は回避されて、カートリッジの挿抜、搬送がスムーズになされてカートリッジ挿抜、搬送時の信頼性を向上させる。また、開口部の寸法を最小に設計することができてディスクプレーヤを更に小型化することができる。そして、金型構造を更に簡素化して、低コストにディスクプレーヤを提供することができる。
【００１４】
【発明の実施の形態】
以下、図示実施例により本発明の詳細を説明する。
図１乃至図１３は、本発明を適用したディスクプレーヤの一実施例を説明する説明図であり、図１において、ディスクプレーヤ１０のカートリッジホルダ２０の内側には、上記カートリッジホルダ２０の左右中心線よりもカートリッジ４０の挿入方向右側となる一側部側に、回動支点を設けて、回動自在に軸支された回動シャーシ３０が取り付けられている。また、カートリッジホルダ２０の左右中心線よりもカートリッジ４０の挿入方向左側となる他側部側には、カートリッジ４０を搬送するカートリッジ搬送機構５０と、回動シャーシ３０を回動駆動する駆動機構６０と、これらを駆動する駆動源としての駆動モータ７０とが、備えられている。
【００１５】
詳述すると、カートリッジホルダ２０は枠体形状を成すものであって、そのカートリッジホルダ２０の前面側には、適宜大きさの開口部２１が設けられており、この開口部２１からディスク状記録媒体４１を収納した略矩形状のカートリッジ４０がカートリッジホルダ２０の内部に向かって挿入されたり、或いは抜出されたりするようになっている。
この時、カートリッジ４０のディスク状記録媒体４１を保護するシャッター４２は、カートリッジホルダ２０の一側部側に位置するようになっていて、シャッター４２のスライド方向はカートリッジ４０の挿脱方向と一致している。
【００１６】
また、カートリッジホルダ２０の一側部側の側面には、複数の保持溝２２が形成されており、後述する回動シャーシ３０の複数のヒンジ部３１がカートリッジホルダ２０の内側からそれぞれの保持溝２２に挿入されて支持するようになっていて、ヒンジ部３１まわりに回動シャーシ３０を回動するようにした回動軸Ｘが設けられている。
そのため、カートリッジ４０の左右中心線よりもカートリッジ４０の挿入方向右側に回動シャーシ３０の回動軸Ｘが位置するようになり、左右中心線よりもカートリッジ４０の挿入方向左側にはカートリッジ搬送機構５０と駆動機構６０及び駆動モータ７０とが位置される。
【００１７】
図２に示すように、開口部２１の下面側にはカートリッジ４０の挿抜（搬送）方向に適宜延設しているガイド部２３を配置する。このガイド部２３は、カートリッジ４０が挿入、抜出される際の方向性を維持させるガイド役を担うようになっており、カートリッジ４０におけるディスク状記録媒体４２の情報面と平行な上面及び下面に対して、略平行な面を有している。
また、ガイド部２３には、後述するキャリヤ５１によるカートリッジ４０の搬送方向における、特に搬出（抜出）方向に漸次傾斜する傾斜部（テーパ）２３ａを設ける。
この傾斜部２３ａはカートリッジ４０の外縁付近から中心付近が挿通する位置にあたる直線部のガイド部２３に、該ガイド部２３がカートリッジ４０の搬出方向とは直交しないように角度をつけて斜設したものであり、その他の実施例として、カートリッジ４０が挿通する位置にあたるガイド部２３の全幅に亘って上記のような傾斜部を設けるようにしてもよい。或いは、別実施例として、カートリッジ４０のシャッター４２の搬送方向と直交する直線部におけるカートリッジ４０の中心付近が挿通する位置にあたるディスクプレーヤ１０の他のガイド部に漸次傾斜するように傾斜部を設けてもよい。この一実施例としては、図１４に示したように、ディスクプレーヤ１０の前面に位置するパネル材Ｐに取り付けられているガイド部Ｇのカートリッジ用挿通口Ｇ１の全幅に設けたものである。
この際、ガイド部Ｇのカートリッジ用挿通口Ｇ１に対してシャッター４２が挿通する範囲よりも若干広めの範囲とだけなるような傾斜部を漸次傾斜するように設けるようにしてもよい。
そして、上記傾斜部２３ａの形状は直線的傾斜部、或いは曲線的傾斜部から形成されるようにする。また、前記傾斜部２３ａは異なる傾斜角を備えた複数の傾斜部から構成されるようにしてもよい。
更に、傾斜部２３ａの設置位置はカートリッジ４０の下面をガイドするようにした上記ガイド部２３のみに限定されることはなく、カートリッジ４０の上面、或いは上下面、或いは左右面をガイドするようにした他のガイド部の全幅、或いは一部にカートリッジ４０の搬送方向とは直交しない傾斜部を設けるようにしてもよい。
更には、図２に示された傾斜部２３ａは、カートリッジ４０が正規に装着された際のシャッター４２に対応した位置に設置されているが、カートリッジ４０を表裏誤って誤装着した際を鑑みれば、その誤って装着されたカートリッジ４０のシャッター４２に対応した位置に設置しても良く、また、双方に設置しても良く、またその際にはカートリッジ４０の搬送方向に対し左右略対称とするように設置しても良い。
また更に、以上のような傾斜部２３ａは、カートリッジ４０の搬送方向における、特に搬入（挿入）方向に漸次傾斜するものであっても良い。
すなわち、カートリッジ４０の搬送方向に対して漸次傾斜する傾斜部を設けることが必須であり、これによりカートリッジ４０の搬送時の信頼性を向上することができる。
【００１８】
また、カートリッジホルダ２０の一側部側の側面にはシャッタースライド機構２４が取り付けられており、挿入されたカートリッジ４０のシャッター４２を挿入方向にスライド開閉するようにしてある（図１参照）。
詳述すると、シャッタースライド機構２４は平板部材を折り曲げて板ばねを組み込んで形成したものであって、シャッタースライド機構２４の一部がカートリッジ４０に設けられている図示しない案内溝内を挿通しながら、シャッター４２を押圧して開かないようにしているカートリッジ４０の図示しない押圧バネをカートリッジ４０内部に押し込むことによって、シャッター４２をスライド開閉可能とするものである。
そして、カートリッジホルダ２０内部にはクランプバネ２５が下向きに取り付けられていて、このクランプバネ２５と後述するキャリヤ５１の突出部５１ｃとによって挿入されたカートリッジ４０を密着支持するようになっている。
【００１９】
図３に示すように、回動シャーシ３０はフレーム形状であって、一側部側には複数のヒンジ部３１が外側に向かって水平方向に突出させてあり、ヒンジ部３１をカートリッジホルダ２０の内側から保持溝２２に挿入した状態で保持させて、カートリッジホルダ２０内部で回動シャーシ３０が回動可能となるようになっている。また、他側部側には、後述する傾斜溝６４に係合する係合ピン３２が、外側に向かって水平方向に突出させて設けてある。
【００２０】
回動シャーシ３０の中央部には、挿入されたディスク状記録媒体４１を回転駆動するターンテーブル３３が装着されている。また、回動シャーシ３０の後端部には、固定部材３４によって軸支された支軸３５とウォームギヤ３６とが、一側面側から他側面側に向けて略平行になるよう配置されると共に、ウォームギヤ３６に噛み合いながら支軸３５に摺動して、一側部側から他側部側に向けて往復平行移動する光ピックアップ３７が装着されている。この光ピックアップ３７は、上記回動シャーシ３０に取り付けられている図示しない小型モータにより回転ギヤ３８ａを回転させ、この回転ギヤ３８ａに噛み合う噛合ギヤ３８ｂを一端に挿着したウォームギヤ３６を駆動することによって往復平行移動可能としている。図中、符号３９は、レーザ光照射・集光用のレンズを示している。
また、上記回動シャーシ３０には、後述する駆動プレート６１の進退移動に伴って昇降動作可能とした図示しない磁気ヘッドが装着されている。
【００２１】
カートリッジホルダ２０の外側の他側部側に装着されたカートリッジ搬送機構５０は、カートリッジ４０のシャッター４２のスライド方向と略平行な方向にカートリッジ４０を搬送するものであって、カートリッジホルダ２０の前後方向に進退自在に装着されたキャリヤ５１によってカートリッジ４０が搬送されるようになっている。
また、キャリヤ５１は、横Ｌ字形の形状をなすような基板５１ａと側板５１ｂとから形成されており、上記カートリッジホルダ２０上面の前後方向にわたって設けられているガイド溝２６に沿って往復動可能とされている。
【００２２】
図４に示すように、キャリヤ５１の側板５１ｂは、カートリッジホルダ２０の他側面に沿って下向きに形成されていると共に、側板５１ｂの上部位置には、カートリッジホルダ２０の他側面に設けられている側面開口部２７からカートリッジホルダ２０内部に挿入されるキャリヤロック５４と係止フック５５とが装着されている（図１３参照）。
キャリヤロック５４は、キャリヤ５１に設けた枢軸５６周りに一端が回動可能に嵌合されていると共に、図示しない付勢バネにより常時時計回り方向に付勢されることによりキャリヤロック５４の他端部をカートリッジホルダ２０の一側面に対して係合させてキャリヤ５１をロックするものである。その構成により、カートリッジホルダ２０内にカートリッジ４０が挿入されると、そのカートリッジ４０の先端部がキャリヤロック他端５４ａに当接して枢軸５６周りにキャリヤロック５４を回動させることにより、キャリヤ５１とカートリッジホルダ２０とのロックを解除してキャリヤ５１を移動可能としている。
また、キャリヤ５１の移動時、係止フック５５は挿入されたカートリッジ４０の一側面の一部と係合することにより、キャリヤ５１の往復移動に伴ってカートリッジ４０を搬送可能としている。
係止フック５５はキャリヤロック５４の一側面側に形成されていると共に、スリットを有する弾性形状になっている。
【００２３】
図４に示すように、キャリヤ５１の側板５１ｂの下面には、長手方向にわたって適宜範囲のラック部５２が形成されており、後述する駆動ギヤ７５に噛み合い可能となっている。
側板５１ｂのラック部５２とキャリヤロック５４との略中間位置の側面には、ラック部５２と略平行となるようなガイド溝５３が設けられていると共に、このガイド溝５３の前端側の一部は、ラック部５２に向かうように前方斜め下方向に傾斜している。そして、ガイド溝５３に後述する切換リング７６に設けられたピン７６ａが挿通可能となるようになっている。
【００２４】
カートリッジホルダ２０の他側面下側には、回動シャーシ３０の駆動機構６０としての駆動プレート６１が前後方向に移動可能に装着されている。
この駆動プレート６１は駆動部６１ａと作動部６１ｂとから形成されていて、駆動部６１ａの上面には、長手方向にわたって適宜範囲だけラック部６２が形成されて後述する駆動ギヤ７５が噛み合い可能となっている。
そして、ラック部６２の下方位置に、このラック部６２と略平行となるようなガイド溝６３が設けられると共に、このガイド溝６３の前端側の一部は、前方斜め下方向に傾斜している。そして、後述する切換リング７６に設けられた下部ピン７６ｂがガイド溝６３に沿って挿通可能となっている。
また、作動部６１ｂのカートリッジホルダ２０内部側には、両端に平行溝６４ａを有する傾斜溝６４があり、この傾斜溝６４に回動シャーシ３０の他側部側に設けている係合ピン３２を摺動可能に係合させている。そして、駆動プレート６１が長手方向に移動することによって、傾斜溝６４に沿って回動シャーシ３０の係合ピン３２が上下動するので、回動シャーシ３０は回動軸Ｘまわりに回動し、カートリッジホルダ２０に対して接離させることができるようになっている。
また、駆動プレート６１の図示しない一部が回動シャーシ３０に装着されている図示しない磁気ヘッドを昇降作動させるようになっている。
【００２５】
カートリッジホルダ２０の他側面後端位置には、カートリッジ搬送機構５０と回動シャーシ３０の駆動機構６０とを駆動する駆動源としての駆動モータ７０が取り付けられている。
この駆動モータ７０の駆動軸７０ａには、プーリ７１が取り付けられている。そして、カートリッジホルダ２０の他側面側に軸支されているギヤプーリ７３との間にＶベルト７２が張架されている。また、ギヤプーリ７３と一体成形の小ギヤ７３ａは、カートリッジホルダ２０の他側面側に軸支されている減速ギヤ７４に噛み合うように配置されている。
そして、減速ギヤ７４の内側には駆動ギヤ７５が同軸に装着され、キャリヤ５１の側板の下面に設けたラック部５２と、駆動プレート６１の駆動部６１ａの上面に設けたラック部６２とに噛み合わせ可能としている。
更に、駆動ギヤ７５の内側には、上部ピン７６ａと下部ピン７６ｂとを有するＯリング形状の切換リング７６を同軸上に遊嵌させておく。
切換リング７６の上部ピン７６ａは、キャリヤ５１のガイド溝５３内を挿通するように、また下部ピン７６ｂは、駆動プレート６１のガイド溝６３内を挿通するように位置させている。
また、減速ギヤ７４の内周側には図示しない半周溝が設けてあり、この半周溝の溝端で係止する突起７５ａを上記駆動ギヤ７５に設けるようにする。そして、減速ギヤ７４が半周ほど駆動されてから駆動ギヤ７５が回転駆動されるようにしてある。
【００２６】
次に、上記構成とした本発明のディスクプレーヤ１０のカートリッジ搬送動作について図４乃至図１１を用いて説明する。なお、図５以降は、ディスクプレーヤ１０の動作状態を説明するために構成の一部を省略して記載してあるため、構成の省略してある部分は、図１乃至図４を参照していただきたい。
まず、図４は、ディスクプレーヤ１０のカートリッジホルダ２０にカートリッジ４０をローディング前の状態の側面図であって、カートリッジホルダ２０に対してキャリヤ５１は、図中右端に位置しており、駆動プレート６１は図中左端に位置している。この状態では、キャリヤ５１のラック部５２と駆動ギヤ７５とは、噛み合っている。また、駆動プレート６１のラック部６２と駆動ギヤ７５とは、まだ噛み合っていない。
この時、切換リング７６の上部ピン７６ａはキャリヤ５１のガイド溝５３内の水平端に位置しており、また、下部ピン７６ｂは駆動プレート６１のガイド溝６３内の傾斜下端に位置しており、上部ピン７６ａと下部ピン７６ｂとは、カートリッジ４０の挿入方向に対して略垂直面内に位置している。
【００２７】
カートリッジホルダ２０の前面に設けられている開口部２１からカートリッジ４０が挿入されてキャリヤロック他端５４ａに当接することにより、枢軸５６周りにキャリヤロック５４が回動してロック解除する。そのことにより、キャリヤ５１が移動可能となると共に、カートリッジ４０の側面の図示しない係合孔に係止フック５５が係止して、カートリッジ４０とキャリヤ５１とが一体となって移動するようになる。
また、係止フック５５がカートリッジ４０の係合孔に正確に係止されない場合は、係止フック５５は、その弾性を利用して外側に逃げ破損を回避する。
【００２８】
キャリヤ５１がガイド溝２６に沿ってカートリッジホルダ２０の後方に移動することにより、駆動モータ７０の図示しない回転スイッチが入って駆動モータ７０が回転駆動される（図５参照）。
この駆動モータ７０の始動による回転は、プーリ７１，Ｖベルト７２，ギヤプーリ７３，小ギヤ７３ａ，減速ギヤ７４へと伝達される。すると、前記減速ギヤ７４が半回転ほどしてから駆動ギヤ７５が回転し始める。
この時、切換リング７６の上部ピン７６ａは、キャリヤ５１のガイド溝５３内の水平部を挿通している状態であって、切換リング７６は回転していない。
【００２９】
駆動モータ７０の回転駆動によりキャリヤ５１が後方に搬送されてくると、やがて切換リング７６の上部ピン７６ａは、水平状態のガイド溝５３から下降しているガイド溝５３の溝面に摺接を開始する。そして、下降しているガイド溝５３に沿って上部ピン７６ａが図中反時計回りに回動させられ始める（図６参照）。
同時に、切換リング７６の下部ピン７６ｂも図中反時計回りに回動するので、下部ピン７６ｂがガイド溝６３の傾斜部を押圧して駆動プレート６１を図中右方向に適宜移動させる。すると、移動した駆動プレート６１のラック部６２が駆動ギヤ７５と噛み合いを開始して、駆動プレート６１を図中右方向に移動させる（図７参照）。
【００３０】
さらに、切換リング７６が図中反時計回りに回動し、上部ピン７６ａのガイド溝５３の傾斜部に沿った移動に伴って、駆動ギヤ７５に噛み合っていたキャリヤ５１のラック部５２が駆動ギヤ７５から離脱して、キャリヤ５１の移動が停止される（図８参照）。
この時、上部ピン７６ａはガイド溝５３の他端に位置しており、キャリヤ５１の移動に伴って、既にカートリッジ４０はカートリッジホルダ２０内の所定位置までの搬送が終了していると共に、シャッタースライド機構２４によってシャッター４２は適宜開状態となっている。
また、キャリヤ５１に設けられた突出部５１ｃがクランプバネ２５の凸部２５ｂと接触し、クランプバネ２５の回動を規制することとなる。
【００３１】
駆動プレート６１は更に移動を継続しているので、駆動プレート６１の駆動部６１ａに設けてある傾斜溝６４に沿って、回動シャーシ３０の係合ピン３２が上方向に移動し始める（図１０参照）。
すると、回動シャーシ３０がカートリッジホルダ２０の保持溝２２を回動支点とした回動運動をして、カートリッジホルダ２０に対して回動・近接されてカートリッジホルダ２０内に挿入されているカートリッジ４０に対してクランプする（図１１参照）。
【００３２】
そして、回動シャーシ３０によるクランプが終了すると、図示しないスイッチにより駆動モータ７０の回転が停止されると共に、駆動プレート６１の移動も停止される。
カートリッジ４０の上面の一部を密着支持しているクランプバネ２５が圧着力を発生させている状態で、カートリッジ４０内のディスク状記録媒体４１の再生が行われる。また、この時、カートリッジホルダ２０の図示しない一部もカートリッジ４０の上面の一部を圧着してカートリッジ４０を圧着している。
【００３３】
ディスク状記録媒体４１に録音する場合は、停止している駆動モータ７０を更に回転駆動させ駆動プレート６１を更に図中右方向に移動させることによって、駆動プレート６１の図示しない一部が回動シャーシ３０に装着されている磁気ヘッドを下降作動させる。そして、カートリッジ４０のシャッター４２がスライドして全開状態のディスク状記録媒体４１上に磁気ヘッドを載置させることによって、ディスク状記録媒体４１へ録音する。
【００３４】
カートリッジホルダ２０からカートリッジ４０を離脱させるには、上記の手順を逆に辿っていけばよい。
先ず、ディスクプレーヤ１０の図示しない停止ボタンを作動させて、ディスク状記録媒体４１の再生・録音を停止させる。次に、図示しないイジェクトボタンを作動させることによって、駆動モータ７０を逆回転始動させて、駆動プレート６１を逆方向に、つまり図中左方向に移動させる。すると、回動シャーシ３０が下降を始めてカートリッジホルダ２０から離間する。
そうした駆動プレート６１の移動に伴って、切換リング７６の下部ピン７６ｂは、水平状態のガイド溝６３から下降しているガイド溝６３の溝面に摺接を開始する。そして、下降しているガイド溝６３に沿って下部ピン７６ｂが円周方向に回動させられ始める。すると、下部ピン７６ｂの移動に伴って、切換リング７６が図中時計方向に回動する。そして、切換リング７６が円周方向に移動することによって、駆動ギヤ７５はキャリヤ５１のラック部５２に噛み合い始めると共に、駆動プレート６１のラック部６２が駆動ギヤ７５から離脱し、キャリヤ５１を図中右方向に移動させる。
【００３５】
ここで、本発明を適用したディスクプレーヤ１０の傾斜部２３ａの作用について図１２を用いて説明する。なお、図１２は構成の一部を省略して記載してあるため、構成の省略してある部分は図１乃至図４を参照していただきたい。
まず、図１２（ａ）は、ディスクプレーヤ１０内のカートリッジホルダ２０の前面に設けられている開口部２１からカートリッジ４０を抜出する状態を示す概略上面図であり、図１２（ｂ）は、前面図を示している。
直線的な傾斜部２３ａはシャッター４２の搬送方向と直交するガイド部２３のストレート部におけるディスクカートリッジ４０の中心付近まで位置するように設けられている。この時、傾斜部２３ａは、既述したように、曲線的傾斜部、或いは、複数の傾斜部を複合して形成されるようにしてもよい。
上記状態で、カートリッジ４０のシャッター４２（便宜上、特に斜線を付している）には何らかの作用力が生じてしまい、シャッター４２の直線部４２Ａの自由端部４２Ａ１側（図中、カートリッジ４０の中心側）が反ってしまっている。
次に、図１２（ｃ）に示すように、カートリッジ４０はキャリヤ５１の移動に伴って、キャリヤ５１と同一方向（図中矢印の方向）へ搬送されている。
そして、キャリヤ５１の搬送移動によりシャッター４２の一側面の直線部４２Ａとガイド部２３とは徐々に交差しようとしているが、ガイド部２３には傾斜部２３ａが設けられているので、接触面同士による当接は生起されずに直線部４２Ａの基端部４２Ａ２側から自由端部４２Ａ１側へ向かって接触点による摺接が開始される。そのことにより、シャッター４２は基端部４２Ａ２側から傾斜部２３ａによってその反り返った姿勢を元の姿勢に矯正させられながら傾斜部２３ａを挿通していく。
そして、搬送されているカートリッジ４０は、シャッター４２の一側面の直線部４２Ａとガイド部２３とによる直線部同士の当接干渉が生起されず、それぞれが直交しないことにより、図１２（ｄ），（ｅ）に示すように、反ったシャッター４２は傾斜部２３ａを確実に通過することができる。そして、カートリッジ４０はガイド部２３を挿通して開口部２１から抜出搬送される。
つまり、ガイド部２３に傾斜部２３ａを備えたことにより、よじれていたり、撓んでいたりするシャッター４２の側面の直線部４２Ａが当接干渉することをさけることによりカートリッジ４０の搬送はスムーズに行われるようになるのである。
【００３６】
そして、カートリッジ４０はカートリッジホルダ２０の開口部２１から排出されると共に、キャリヤ５１はキャリヤロック５４によってカートリッジホルダ２０に係止されて、一連の動作が終了する。
【００３７】
上記実施例では、カートリッジ４０の搬送をする際に、そのカートリッジ４０の下面をガイドするガイド部２３に傾斜部２３ａを設けた構成について説明したが、傾斜部２３ａを設けるのは上記カイド部２３のみに限定されることはなく、既述したように、カートリッジ４０の上面或いは上下面、或いは左右面をガイドする他のガイド部にも傾斜部を全面、或いは一部に設けるようにしてもよい。
そして、各ガイド部に傾斜部を設けることにより、よじれていたり、撓んでいたりするシャッター４２とガイド部とは直交することがなくなり、それぞれが当接干渉をしなくなるので、ディスクプレーヤ１０へのカートリッジ４０の挿抜、及びディスクプレーヤ１０内での搬送がスムーズに行われるようになる。
また、ディスクプレーヤ１０におけるカートリッジ４０の搬送系の逃げを必要としないためにカートリッジ４０の搬送系を最小限高さにすることができ、ディスクプレーヤ１０を更に小型化することができるようになる。
【００３８】
以上の実施例からも明らかなように、本発明の実施形態によれば、ディスクカートリッジを装填可能なディスクプレーヤであって、前記ディスクカートリッジを前記シャッターのディスクカートリッジ上におけるスライド方向と同一方向に搬送する搬送機構と、前記搬送機構による搬送中のディスクカートリッジにおける前記ディスク状記録媒体の情報面と平行な面をガイドするガイド部材と、前記ディスクカートリッジ上のシャッターをスライドさせるシャッタースライド機構とを備え、前記ガイド部材は前記搬送機構によるディスクカートリッジの搬送方向に漸次傾斜する傾斜部をガイド部の全幅、或いは一部に設けると共に、前記傾斜部は直線的傾斜部、或いは曲線的傾斜部、又はそれらの複合した傾斜部から形成されるので、ガイド部はカートリッジの搬送方向とは直交しなくなり、ガイド部とシャッターとは面接触による当接干渉をしなくなる。その結果、シャッターがよじれていたり、撓んでいたりするカートリッジをディスクプレーヤに挿抜、搬送しても、傾斜部がシャッターの姿勢を点接触しながら元の形態に矯正するので、カートリッジの挿抜、搬送がスムーズになされてカートリッジ挿抜、搬送時の信頼性を向上させることが可能となる。また、ディスクプレーヤにおけるカートリッジの搬送系を最小限高さに設定でき、限られた空間を最大限に活用できるようになる。しかも、カートリッジホルダの構造を簡単なものとし、カートリッジホルダを小型化することが可能となる。そして、低コストにディスクプレーヤを構成できるようになる。
【００３９】
また、本発明の実施形態では、傾斜部はシャッターの搬送方向と直交するストレート部におけるディスクカートリッジの中心付近まで設けられているので、シャッター側が挿通する位置にあたるガイド部は、シャッターの搬送方向に直交することはなくなり、ガイド部とシャッターとの面接触はしなくなる。その結果、シャッターがよじれていたり、撓んでいたりするカートリッジをディスクプレーヤに挿抜しても、傾斜部がシャッターの姿勢を点接触しながら矯正するのでガイド部との当接干渉は回避することができて、カートリッジの挿抜、搬送がスムーズになされてカートリッジ挿抜、搬送時の信頼性を向上させることが可能となる。また、開口部の寸法を最小に設計することができてディスクプレーヤを更に小型化することが可能になる。そして、金型構造を更に簡素化して、低コストにディスクプレーヤを提供することが可能になる。
【図面の簡単な説明】
【図１】本発明を適用したディスクプレーヤの一実施例の形態に係わる概略正面図である。
【図２】本発明を適用したディスクプレーヤの開口部を説明するための斜視図である。
【図３】図１の回動シャーシの要部構成を説明するための平面図である。
【図４】図１の側面図である。
【図５】本発明を適用したディスクプレーヤにおけるカートリッジのローディング状態を示す概略側面図である。
【図６】本発明を適用したディスクプレーヤにおけるラック切換時の状態を示す概略側面図である。
【図７】本発明を適用したディスクプレーヤにおけるクランプ開始時の状態を示す概略側面図である。
【図８】本発明を適用したディスクプレーヤにおける再生時の状態を示す概略側面図である。
【図９】本発明を適用したディスクプレーヤにおける録音時の状態を示す概略側面図である。
【図１０】本発明を適用したディスクプレーヤにおける回動シャーシの動作を説明する概略正面図である。
【図１１】本発明を適用したディスクプレーヤにおける回動シャーシの動作を説明する概略正面図である。
【図１２】本発明を適用したディスクプレーヤのローディング形態を説明する説明図である。
【図１３】図１中のキャリヤロックの斜視図である。
【図１４】本発明を適用したディスクプレーヤの別実施例を説明する説明図である。
【図１５】従来のディスクプレーヤのローディング形態を説明する説明図である。
【図１６】従来のディスクプレーヤの開口部を説明する斜視図である。
【図１７】他の従来のディスクプレーヤの開口部を説明する説明図で、（ａ）は前面図、（ｂ）は正面図、（ｃ）は側面図である。
【符号の説明】
１０      ディスクプレーヤ
２０      カートリッジホルダ
２１      開口部
２３      ガイド部
２３ａ    傾斜部
２４      シャッタースライド機構
３０      回動シャーシ
３３      ターンテーブル
３７      光ピックアップ
３９      レーザ光照射・集光用レンズ
４０      カートリッジ
４１      ディスク状記録媒体
４２      シャッター
４２Ａ    直線部
４２Ａ１  自由端部
４２Ａ２  基端部
５０      カートリッジ搬送機構
５１      キャリヤ
５４      キャリヤロック
５５      係止フック
６０      駆動機構
７０      駆動モータ
【図１】
0003765668.tif 000002
【図２】
0003765668.tif 000003
【図３】
0003765668.tif 000004
【図４】
0003765668.tif 000005
【図５】
0003765668.tif 000006
【図６】
0003765668.tif 000007
【図７】
0003765668.tif 000008
【図８】
0003765668.tif 000009
【図９】
0003765668.tif 000010
【図１０】
0003765668.tif 000011
【図１１】
0003765668.tif 000012
【図１２】
0003765668.tif 000013
【図１３】
0003765668.tif 000014
【図１４】
0003765668.tif 000015
【図１５】
0003765668.tif 000016
【図１６】
0003765668.tif 000017
【図１７】
0003765668.tif 000018